(57)【要約】【課題】  間仕切パネルの一部または全部を、簡単に棚板として使用することができ、しかも、仕切られた室内空間の換気を図ることができるようにした間仕切装置を提供する。【解決手段】  床面上に立設した左右１対の支柱４間に、複数の間仕切パネル８を上下方向に多段状に装着して閉塞される間仕切装置Ｐにおいて、少なくともいずれかの間仕切パネル８を、左右方向を向く支軸７をもって支柱４間に枢着し、かつ支柱４と間仕切パネル８との間に、間仕切パネル８を、少なくともほぼ垂直方向と水平方向とを向く回動角度で保持しうる位置決め保持機構を設ける。【選択図】    図２
2006152534.tif 000002
【特許請求の範囲】
【請求項１】
床面上に立設した左右１対の支柱間に、複数の間仕切パネルを上下方向に多段状に装着して閉塞される間仕切装置において、
少なくともいずれかの間仕切パネルを、左右方向を向く支軸をもって前記支柱間に枢着し、かつ前記支柱と間仕切パネルとの間に、前記間仕切パネルを、少なくともほぼ垂直方向と水平方向とに亘る回動角度で保持しうる位置決め保持機構を設けたことを特徴とする間仕切装置。
【請求項２】
位置決め保持機構が、間仕切パネルの側端より後方に向けて延出する側板の上部に一体的に形成され、かつ周縁部の要所に係止凹部が設けられた円弧部と、この円弧部における円弧の中心より間仕切パネルの表面に向かって延出するように前記側板に設けられ、かつ支軸が枢嵌された長孔と、支柱の内側面に突設され、間仕切パネルが下方を向く垂下位置に位置し、かつ前記長孔の後端部が支軸に係合しているときは、前記側板における円弧部の直下の後縁に当接して、間仕切パネルの下方を向く姿勢での後方への移動を阻止し、間仕切パネルが前方を向く水平位置に位置し、前記長孔における間仕切パネルの表面寄りの端部が支軸に係合しているときは、前記側板における円弧部の係止凹部に係合して、前記間仕切パネルの支軸を中心とする回動を阻止するようになっている係止ピンとを備えることを特徴とする請求項１記載の間仕切装置。
【請求項３】
上下に隣接する上側間仕切パネルの下端面と、下側間仕切パネルの上端面とを、互いに近接して平行をなす前下向き傾斜面としたことを特徴とする請求項１または２記載の間仕切装置。
【請求項４】
支柱の内側面に、間仕切パネルが垂下位置に位置しているときに、前記間仕切パネルの後面に吸着するようにしたマグネットラッチを設けたことを特徴とする請求項１〜３のいずれかに記載の間仕切装置。
【請求項５】
間仕切パネルを、支柱間の前面側に装着するとともに、前記支柱間の後面側に、通気性を有する仕切り部材を配設したことを特徴とする請求項１〜４のいずれかに記載の間仕切装置。
【請求項６】
仕切り部材を、ワイヤーネットにより形成したことを特徴とする請求項５記載の間仕切装置。
【請求項７】
間仕切パネルを前下向き傾斜状態にしたとき、係止ピンと係合して、間仕切パネルの回動を阻止するようにした係止凹部を、円弧部の周縁に設けたことを特徴とする請求項２またはそれに従属する請求項３〜６のいずれかに記載の間仕切装置。
【発明の詳細な説明】
【技術分野】
【０００１】
本発明は、例えば、オフィスや病院、あるいはデパート、大型スポーツ店等の室内空間を仕切る間仕切装置に係り、特に、間仕切パネルを棚板として使用し得るとともに、仕切られた室内空間の換気を図ることができるようにした間仕切装置に関する。
【背景技術】
【０００２】
従来、間仕切装置により仕切られたオフィスや病院等の室内空間における換気は、空調設備による強制換気や、ドアや窓を開けての自然換気によっている。
【０００３】
また、従来の間仕切装置には、間仕切パネルの一部を、前下方に開閉し得るようにして、開いたときに、作業台として使用できるようにしたものがある（例えば、特許文献１参照）。
【特許文献１】特開２００３−２５３７９２号公報（図１、図４）
【発明の開示】
【発明が解決しようとする課題】
【０００４】
しかし、従来のように、間仕切装置により仕切られた室内空間を、空調設備による強制換気や、ドアや窓を開けての自然換気によるようにしたものでは、例えば、大掃除時や引越し時等における粉塵や、部屋全体に拡散した不快な臭気に対する処理能力が不十分である。
【０００５】
また、特許文献１に記載の間仕切装置では、机または作業台用のテーブルの後面側にも間仕切パネルが装着される２重構造となっているため、机または作業台用のテーブルの使用状態においても通気性を有しないため、仕切られた室内空間の換気能力が不足するという問題があった。
【０００６】
本発明は、上記の問題点に鑑み、間仕切パネルの一部または全部を、簡単に棚板として使用することができ、しかも、仕切られた室内空間の換気を図ることができるようにした間仕切装置を提供することを目的としている。
【課題を解決するための手段】
【０００７】
本発明によると、上記課題は、次のようにして解決される。
(１)  床面上に立設した左右１対の支柱間に、複数の間仕切パネルを上下方向に多段状に装着して閉塞される間仕切装置において、少なくともいずれかの間仕切パネルを、左右方向を向く支軸をもって前記支柱間に枢着し、かつ前記支柱と間仕切パネルとの間に、前記間仕切パネルを、少なくともほぼ垂直方向と水平方向とに亘る回動角度で保持しうる位置決め保持機構を設ける。
【０００８】
(２)  上記(１)項において、位置決め保持機構が、間仕切パネルの側端より後方に向けて延出する側板の上部に一体的に形成され、かつ周縁部の要所に係止凹部が設けられた円弧部と、この円弧部における円弧の中心より間仕切パネルの表面に向かって延出するように前記側板に設けられ、かつ支軸が枢嵌された長孔と、支柱の内側面に突設され、間仕切パネルが下方を向く垂下位置に位置し、かつ前記長孔の後端部が支軸に係合しているときは、前記側板における円弧部の直下の後縁に当接して、間仕切パネルの下方を向く姿勢での後方への移動を阻止し、間仕切パネルが前方を向く水平位置に位置し、前記長孔における間仕切パネルの表面寄りの端部が支軸に係合しているときは、前記側板における円弧部の係止凹部に係合して、前記間仕切パネルの支軸を中心とする回動を阻止するようになっている係止ピンとを備える。
【０００９】
(３)  上記(１)項または(２)項において、上下に隣接する上側間仕切パネルの下端面と、下側間仕切パネルの上端面とを、互いに近接して平行をなす前下向き傾斜面とする。
【００１０】
(４)  上記(１)項〜(３)項のいずれかにおいて、支柱の内側面に、間仕切パネルが垂下位置に位置しているときに、前記間仕切パネルの後面に吸着するようにしたマグネットラッチを設ける。
【００１１】
(５)  上記(１)項〜(４)項のいずれかにおいて、間仕切パネルを、支柱間の前面側に装着するとともに、前記支柱間の後面側に、通気性を有する仕切り部材を配設する。
【００１２】
(６)  上記(５)項において、仕切り部材を、ワイヤーネットにより形成する。
【００１３】
(７)  上記(２)項またはそれに従属する(３)項〜(６)項のいずれかにおいて、間仕切パネルを前下向き傾斜状態にしたとき、係止ピンと係合して、間仕切パネルの回動を阻止するようにした係止凹部を、円弧部の周縁に設ける。
【発明の効果】
【００１４】
請求項１記載の発明によると、いずれかの間仕切パネルを、水平位置とすることにより、その上に物品を載置する棚板として使用することができるとともに、水平としたことによって両支柱間に形成される空所により、換気口が形成され、仕切られた室内空間の換気を図ることができる。
【００１５】
請求項２記載の発明によると、位置決め保持機構を簡単な構成により形成することができるとともに、簡単な操作で、間仕切パネルを垂下位置と水平位置とに移動させることができる。しかも、間仕切パネルは、垂下位置としたとき、長孔と支軸、及び側板と係止ピンとの関係により、前後方向への移動が阻止され、特別な係止手段や止着手段を設けることなく、間仕切パネルの前後方向のがたつきを防止することができるとともに、隣接する上下間仕切パネルの表面が前後にずれるのを防止することができ、外観の向上を図ることができる。
【００１６】
請求項３記載の発明によると、上下に隣接する間仕切パネルの相互間に、前方から見通せるような隙間が生じるのを防止することができ、外観の向上を図ることができる。
【００１７】
請求項４記載の発明によると、垂下位置としたときの間仕切パネルの後面を、マグネットラッチで吸着保持することにより、間仕切パネルのがたつきや位置ずれを確実に防止することができる。
【００１８】
請求項５記載の発明によると、間仕切パネルの後面側に、通気性を有する仕切り部材を配設したことにより、間仕切パネルを垂下位置から開いたときの室内空間の通気性を確保することができる。
【００１９】
請求項６記載の発明によると、間仕切パネルを水平位置にしたときに、室内の通気を確保できるだけでなく、ワイヤーネットに小物品を吊り下げて陳列することができ、商品の展示効果を高めることができる。
【００２０】
請求項７記載の発明によると、間仕切パネルを前下向き傾斜状態で保持することにより、それを換気時のルーバとして用いることができる。
【発明を実施するための最良の形態】
【００２１】
以下、本発明を図面に基づいて詳細に説明する。
図１〜図５は、本発明の間仕切装置の一実施形態を示し、図１は、概略斜視図、図２は、図１のＩＩ−ＩＩ線に沿う要部拡大断面図、図３は、間仕切パネルのみの縦断側面図、図４は、間仕切パネルを前下向き傾斜状態としたときの縦断側面図、図５は、間仕切パネルを水平位置としたときの縦断側面図である。なお、図２における紙面の左側を「前方」、右側を「後方」として、以下に説明する。
【００２２】
この実施形態の間仕切装置(Ｐ)は、図１に示すように、オフィス等の室内空間(１)の天井面(２)と床面(３)との間に、複数本の支柱(４)を立設し、これら隣り合う左右１対の支柱(４)(４)間の前面側に、上部カバーパネルパル(５)と下部カバーパネルパル(６)を上下に間隔を存して装着するとともに、これら上下両カバーパネルパル(５)(６)間に、図２に示すように、両支柱(４)(４)の内側面に突設した左右方向を向く支軸(７)(７)を介して、複数枚（図示の実施形態では５枚）の間仕切パネル(８)を、上下方向に多段状に装着して閉塞するように建付けられている。
【００２３】
各間仕切パネル(８)は、図３に示すように、パネル材(９)と、このパネル材(９)の左右両側端より後方に向けて延出する側板(10)と、これら両側板(10)(10)間に配設されてパネル材(９)の背面を補強する上下１対の補強フレーム(11)(11)とにより構成されており、側板(10)の上部には、ほぼ半円弧状の円弧部(12)が一体的に形成されている。この円弧部(12)の中心部には、支軸(７)が枢嵌される長孔(13)が設けられており、この長孔(13)は、円弧部(12)における円弧の中心より間仕切パネル(８)の表面に向かって延出するように側板(10)に設けられている。
【００２４】
また、円弧部(12)の外周縁(12a)は、長孔(13)の後端部の中心(Ｏ)に対して、所定の半径(Ｒ)で同心円上に形成されており、その要所には、第１及び第２の２個の係止凹部(14)(15)が周方向に沿って所定の間隔を存して形成されている。各係止凹部(14)(15)には、両支柱(４)(４)の内側面に突設された係止ピン(16)(16)が係合可能になっており、係止ピン(16)は、円弧部(12)の外周縁(12a)に摺接可能に設けられている。
【００２５】
位置決め保持機構は、上記側板(10)に一体的に設けられた円弧部(12)、長孔(13)、係止凹部(14)(15)及び係止ピン(16)等により形成され、間仕切りパネル(８)を所定の回動角度で保持しうるようになっている。係止ピン(16)は、間仕切パネル(８)が下方を向く垂下位置に位置して、長孔(13)の後端部が支軸(７)に係合しているときは、側板(10)における円弧部(12)の直下の後縁に当接して、間仕切パネル(８)の下方を向く姿勢での後方への移動を阻止し、また、間仕切パネル(８)が前方を向く水平位置に位置して、長孔(13)における間仕切パネル(８)の表面寄りの端部が支軸(７)に係合しているときは、側板(10)における円弧部(12)の第１の係止凹部(14)または第２の係止凹部(15)に係合して、間仕切パネル(８)の支軸(７)を中心とする回動を阻止するようになっている。
【００２６】
すなわち、図２に示すように、間仕切パネル(８)が垂下位置となっているときには、間仕切パネル(８)の上端部(8a)の前方への移動は、支軸(７)が長孔(13)の後端部に係合していることにより阻止され、また、係止ピン(16)が側板(10)における円弧部(12)の直下の後縁に当接することにより、間仕切パネル(８)が下方を向く姿勢のままで後方へ移動するのが阻止される。これにより、垂下位置における間仕切パネル(８)のがたつきは防止されるとともに、上下に隣接する間仕切パネル(８)(８)間における前後のずれが生じないようになっている。
【００２７】
間仕切パネル(８)の下端部(8b)を所定の回動角度(θ1)、例えば４５°まで回動させると、図４に示すように、係止ピン(16)が第１の係止凹部(14)に係合して、間仕切パネル(８)を前下向き傾斜状態で保持することができ、さらに、所定の回動角度(θ2)、例えば９１°まで回動させると、図５に示すように、係止ピン(16)が第２の係止凹部(15)に係合して、間仕切パネル(８)は、ほぼ水平位置に保持される。これらのいずれの場合にも、両支柱(４)(４)間における間仕切パネル(８)の下方に空所が形成され、この空所により、仕切られた室内空間(１)の換気を図ることができる。さらに、図５に示すように、間仕切パネル(８)を９１°のほぼ水平位置に保持させることにより、棚板として利用することができ、その上に商品等を載置することができる。９１°としたのは、間仕切パネル(８)を棚板として、その上に物品を載置したとき、その物品の荷重により、間仕切パネル(８)が水平(９０°)となるようにするためである。
【００２８】
間仕切パネル(８)は、図３に示すように、パネル材(９)の上端縁及び下端縁をそれぞれ後上方を向くように折返して、後上向き傾斜面(9a)(9b)を形成し、図２に示すように、上下に隣接する上側間仕切パネル(８)の下端の傾斜面(9b)と、下側間仕切パネル(８)の上端の傾斜面(9a)とが互いに対向して近接するようにすることにより、上下に隣接する両間仕切パネル(８)(８)間の隙間が見えなくなるようにしてある。
【００２９】
さらに、図２に示すように、支柱(４)の内側面には、間仕切パネル(８)が垂下位置に位置しているときに、間仕切パネル(８)における下部フレーム(11)の後面に吸着するようにしたマグネットラッチ(17)が設けられている。このマグネットラッチ(17)により、間仕切パネル(８)の下端部(8b)のがたつきが確実に防止される。
【００３０】
また図２に示すように、両支柱(４)(４)間の後面側には、通気性を有する仕切り部材としてのワイヤーネット(18)が配設されている。これにより、間仕切パネル(８)を水平位置か、または前下向き傾斜位置としたとき、仕切られた室内空間(１)の通気性を確保できるようにしてある。ワイヤーネット(18)には、小物品を吊り下げて陳列することにより、商品の展示効果を高めることができる。これにより、間仕切装置(Ｐ)を商品陳列装置として転用することができる。
【００３１】
なお、上記実施形態においては、すべての間仕切パネル(８)を、回動角度調節可能として両支柱(４)(４)間に装着してあるが、いずれか１個の間仕切パネル(８)のみ、または、上下方向に１個置きの間仕切パネル(８)のみを、このような構成とし、他を両支柱(４)(４)間に固着してもよい。
【図面の簡単な説明】
【００３２】
【図１】本発明の間仕切装置の一実施形態を示す概略斜視図である。
【図２】図１のＩＩ−ＩＩ線に沿う要部拡大縦断側面図である。
【図３】間仕切パネルの中央縦断側面図である。
【図４】間仕切パネルを前下向き傾斜位置まで回動させたときの縦断側面図である。
【図５】間仕切パネルを水平位置としたときの縦断側面図である。
【符号の説明】
【００３３】
(Ｐ)  間仕切装置
(１)  室内空間
(２)  天井面
(３)  床面
(４)  支柱
(５)  上部カバーパネル
(６)  下部カバーパネル
(７)  支軸
(８)  間仕切パネル
(8a)  上端部
(8b)  下端部
(９)  パネル材
(9a)(9b)  傾斜面
(10)  側板
(11)  補強フレーム
(12)  円弧部
(12a) 外周縁
(13)  長孔
(14)  第１の係止凹部
(15)  第２の係止凹部
(16)  係止ピン
(17)  マグネットラッチ
(18)  仕切り部材（ワイヤーネット）
(θ1) 間仕切パネルの回動角度
(θ2) 間仕切パネルの回動角度
(Ｏ)  長孔の後端部の中心
(Ｒ)  円弧部の外周の半径
【図１】
2006152534.tif 000003
【図２】
2006152534.tif 000004
【図３】
2006152534.tif 000005
【図４】
2006152534.tif 000006
【図５】
2006152534.tif 000007